(57)【要約】【課題】得られる画像における色間滲みが抑制され、インクの吐出安定性に優れるインクジェットインクセットの提供。【解決手段】赤外線吸収剤、及び、水を含有する第１インクと、赤外線吸収剤、及び、水を含有し、インクの粘度と蒸発率との関係式である式（１）の係数ａの値が、前記第１インクと１．５倍以上異なる第２インクと、を有するインクジェットインクセット。    ｙ＝ａ×ｅｘｐ（１０ｘ）＋ｂ      （１）  式（１）中、ｘはインクにおける質量蒸発率であり、０以上０．６以下を表し、ｙは３０℃におけるインクの粘度（ｍＰａ・ｓ）を表し、ｂはｙ−切片を表す。【選択図】図１
2018035295.tif 000002
【特許請求の範囲】
【請求項１】
赤外線吸収剤、及び、水を含有する第１インクと、
赤外線吸収剤、及び、水を含有し、インクの粘度と蒸発率との関係式である下記式（１）の係数ａの値が、前記第１インクと１．５倍以上異なる第２インクと、を有する
インクジェットインクセット。
ｙ＝ａ×ｅｘｐ（１０ｘ）＋ｂ      （１）
式（１）中、ｘはインクにおける質量蒸発率であり、０以上０．６以下を表し、ｙは３０℃におけるインクの粘度（ｍＰａ・ｓ）を表し、ｂはｙ−切片を表す。
【請求項２】
前記インクジェットインクセットが有する全てのインクの３０℃における粘度が、４ｍＰａ・ｓ以上１０ｍＰａ・ｓ以下である請求項１に記載のインクジェットインクセット。
【請求項３】
前記第１インク及び前記第２インクがいずれも、有機溶媒を更に含有する請求項１又は請求項２に記載のインクジェットインクセット。
【請求項４】
請求項１乃至請求項３のいずれか１項に記載のインクジェットインクセットのうち前記第１インクを収容した第１インクカートリッジと、
請求項１乃至請求項３のいずれか１項に記載のインクジェットインクセットのうち前記第２インクを収容した第２インクカートリッジと、を有する
インクカートリッジセット。
【請求項５】
請求項１乃至請求項３のいずれか１項に記載のインクジェットインクセットを収容し、
前記第１インクを記録媒体上に吐出する第１吐出ヘッド、
前記第２インクを記録媒体上に吐出する第２吐出ヘッド、並びに、
前記記録媒体上に吐出された前記第１インク及び前記第２インクの少なくとも１方を乾燥する赤外線照射手段、を備える
インクジェット記録装置。
【請求項６】
請求項１乃至請求項３のいずれか１項に記載のインクジェットインクセットのうち前記第１インクを記録媒体上に吐出する工程、
請求項１乃至請求項３のいずれか１項に記載のインクジェットインクセットのうち前記第２インクを記録媒体上に吐出する工程、並びに、
前記記録媒体上に吐出された前記第１インク及び前記第２インクの少なくとも１方を赤外線の照射により乾燥する工程、を有する
インクジェット記録方法。
【発明の詳細な説明】
【技術分野】
【０００１】
本発明は、インクジェットインクセット、インクカートリッジセット、インクジェット記録装置、及び、インクジェット記録方法に関する。
【背景技術】
【０００２】
インクジェットプリンティング技術は、広幅・高速化が容易であることから、近年、印刷分野においてシェアを大きく伸ばしている。
【０００３】
従来のインクジェット記録方法としては、例えば、特許文献１乃至３に記載されているものが知られている。
例えば、特許文献１には、「記録媒体を搬送する搬送手段と、前記記録媒体の搬送方向に沿って並んで配置され、着色剤及び赤外線吸収剤を含有する色別のインクを搬送された当該記録媒体上に吐出する複数のインクジェットヘッドと、前記複数のインクジェットヘッドと同数存在し、該複数のインクジェットヘッドの各々より前記記録媒体の搬送方向下流側に配置され、当該複数のインクジェットヘッドによって前記記録媒体上に吐出された色別のインクの各々に対し赤外線レーザーを照射させる複数のレーザー照射手段と、を備え、下記条件（１）〜（３）を全て満たす、又は、下記条件（１）及び（４）を満たすインクジェット記録装置。
（１）：前記色別のインクに含有される赤外線吸収剤が、当該インクが吐出された後最も先んじて照射される赤外線レーザーの発振波長と同一又は近似した極大吸収波長を有するものであること
（２）：（ａ）前記色別のインク中には、同一又は近似した極大吸収波長を有する赤外線吸収剤を含有するインクが存在し、（ｂ）該インクにおいて、当該インクが吐出された後最も先んじて照射される赤外線レーザーの発振波長に対する赤外線吸収率が、前記記録媒体の搬送方向の上流側から下流側にかけて前記インクジェットヘッドにより吐出される順に大きくなる
（３）：（ａ）前記複数のレーザー照射手段中には、同一の発振波長を有する赤外線レーザーを照射するレーザー照射手段が存在し、（ｂ）該レーザー照射手段の赤外線レーザーによる照射エネルギーが、前記記録媒体の搬送方向上流側のものから下流側のものにかけて順に小さくなる
（４）：前記複数のレーザー照射手段中には、異なる発振波長を有する赤外線レーザーを照射するレーザー照射手段が存在する」が提案されている。
【０００４】
また、特許文献２には、「複数の水性インクをそれぞれ記録媒体に付与するインク付与工程と、インクが付与された記録媒体を乾燥する乾燥工程とを有する画像記録方法であって、前記記録媒体の水に対する吸収係数Ｋａが、０．３ｍＬ／ｍ２・ｍｓ１／２以下であり、前記複数の水性インクが、インクの粘度が高い程、インクから水を除いた水分除去インクの粘度が低く、前記インク付与工程において、前記複数のインクのうち、インクの粘度が高いインクから順に記録媒体に付与することを特徴とする画像記録方法。」が提案されている。
【０００５】
更に、特許文献３には、「インクの液滴を記録信号に応じて記録ヘッドのオリフィスから吐出させて記録シートに多次色の画像を形成するインクジェット記録方法であって、該インクが加熱により増粘する色相の異なる２種以上のインクであり、該インクの液滴が記録シートに着弾する前、または着弾時に、記録シートを７０℃以上に加熱し、７０℃での粘度が低いインクから順番に印刷を行なうことを特徴とするインクジェット記録方法。」が提案されている。
【先行技術文献】
【特許文献】
【０００６】
【特許文献１】特開２０１３−１８８９２０号公報
【特許文献２】特開２０１５−１５０６９５号公報
【特許文献３】特開２０１１−２０１０３７号公報
【発明の概要】
【発明が解決しようとする課題】
【０００７】
本発明が解決しようとする課題は、式（１）の係数ａの値が最も小さいインクにおけるａの値に対し、前記インク以外の全てのインクにおけるａの値が１．０倍以上１．５倍未満の範囲内であるインクジェットインクセットを用いる場合に比べ、得られる画像における色間滲みが抑制され、インクの吐出安定性に優れるインクジェットインクセットを提供することである。
【課題を解決するための手段】
【０００８】
上記課題は、以下の手段により解決される。
【０００９】
請求項１に係る発明は、
赤外線吸収剤、及び、水を含有する第１インクと、赤外線吸収剤、及び、水を含有し、インクの粘度と蒸発率との関係式である下記式（１）の係数ａの値が、前記第１インクと１．５倍以上異なる第２インクと、を有するインクジェットインクセットである。
ｙ＝ａ×ｅｘｐ（１０ｘ）＋ｂ      （１）
式（１）中、ｘはインクにおける質量蒸発率であり、０以上０．６以下を表し、ｙは３０℃におけるインクの粘度（ｍＰａ・ｓ）を表し、ｂはｙ−切片を表す。
【００１０】
請求項２に係る発明は、
前記インクジェットインクセットが有する全てのインクの３０℃における粘度が、４ｍＰａ・ｓ以上１０ｍＰａ・ｓ以下である請求項１に記載のインクジェットインクセットである。
【００１１】
請求項３に係る発明は、
前記第１インク及び前記第２インクがいずれも、有機溶媒を更に含有する請求項１又は請求項２に記載のインクジェットインクセットである。
【００１２】
請求項４に係る発明は、
請求項１乃至請求項３のいずれか１項に記載のインクジェットインクセットのうち前記第１インクを収容した第１インクカートリッジと、請求項１乃至請求項３のいずれか１項に記載のインクジェットインクセットのうち前記第２インクを収容した第２インクカートリッジと、を有するインクカートリッジセットである。
【００１３】
請求項５に係る発明は、
請求項１乃至請求項３のいずれか１項に記載のインクジェットインクセットを収容し、前記第１インクを記録媒体上に吐出する第１吐出ヘッド、前記第２インクを記録媒体上に吐出する第２吐出ヘッド、並びに、前記記録媒体上に吐出された前記第１インク及び前記第２インクの少なくとも１方を乾燥する赤外線照射手段、を備えるインクジェット記録装置である。
【００１４】
請求項６に係る発明は、
請求項１乃至請求項３のいずれか１項に記載のインクジェットインクセットのうち前記第１インクを記録媒体上に吐出する工程、請求項１乃至請求項３のいずれか１項に記載のインクジェットインクセットのうち前記第２インクを記録媒体上に吐出する工程、並びに、前記記録媒体上に吐出された前記第１インク及び前記第２インクの少なくとも１方を赤外線の照射により乾燥する工程、を有するインクジェット記録方法である。
【発明の効果】
【００１５】
請求項１に係る発明によれば、式（１）の係数ａの値が最も小さいインクにおけるａの値に対し、前記インク以外の全てのインクにおけるａの値が１．０倍以上１．５倍未満の範囲内であるインクジェットインクセットを用いる場合に比べ、得られる画像における色間滲みが抑制され、インクの吐出安定性に優れるインクジェットインクセットが提供される。
請求項２に係る発明によれば、インクジェットインクセットが３０℃における粘度が４ｍＰａ・ｓ未満であるか、又は、１０ｍＰａ・ｓを超えるインクを有する場合に比べ、得られる画像における色間滲みがより抑制され、各インクの吐出安定性により優れるインクジェットインクセットが提供される。
請求項３に係る発明によれば、有機溶媒を含有しないインクを有するインクセットである場合に比べ、式（１）の係数ａの値が１．５倍以上異なるインクの調製が容易であり、各インクの吐出安定性により優れるインクジェットインクセットが提供される。
【００１６】
請求項４に係る発明によれば、式（１）の係数ａの値が最も小さいインクにおけるａの値に対し、前記インク以外の全てのインクにおけるａの値が１．０倍以上１．５倍未満の範囲内であるインクセットを用いる場合に比べ、得られる画像における色間滲みが抑制され、インクの吐出安定性に優れるインクカートリッジセットが提供される。
請求項５に係る発明によれば、式（１）の係数ａの値が最も小さいインクにおけるａの値に対し、前記インク以外の全てのインクにおけるａの値が１．０倍以上１．５倍未満の範囲内であるインクセットを用いる場合に比べ、得られる画像における色間滲みが抑制され、インクの吐出安定性に優れるインクジェット記録装置が提供される。
請求項６に係る発明によれば、式（１）の係数ａの値が最も小さいインクにおけるａの値に対し、前記インク以外の全てのインクにおけるａの値が１．０倍以上１．５倍未満の範囲内であるインクセットを備える場合に比べ、得られる画像における色間滲みが抑制され、インクの吐出安定性に優れるインクジェット記録方法が提供される。
【図面の簡単な説明】
【００１７】
【図１】本実施形態に係る記録装置の一例を示す概略構成図である。
【発明を実施するための形態】
【００１８】
以下に、本実施形態について説明する。
なお、「質量部」及び「質量％」との記載は、それぞれ、「重量部」及び「重量％」と同義である。
【００１９】
＜インクジェットインクセット＞
本実施形態に係るインクジェットインクセット（以下、単に「インクセット」とも称する）は、赤外線吸収剤、及び、水を含有する第１インクと、赤外線吸収剤、及び、水を含有し、インクの粘度と蒸発率との関係式である下記式（１）の係数ａの値が、前記第１インクと１．５倍以上異なる第２インクと、を有する。
ｙ＝ａ×ｅｘｐ（１０ｘ）＋ｂ      （１）
式（１）中、ｘはインクにおける質量蒸発率（以下、単に「蒸発率」とも称す）であり、０以上０．６以下を表し、ｙは３０℃におけるインクの粘度（ｍＰａ・ｓ）を表し、ｂはｙ−切片を表す。
【００２０】
本実施形態に係るインクジェットインクセットは、上記構成により、得られる画像における色間滲みが抑制され、各インクの吐出安定性に優れる。この理由は定かではないが、以下に示す理由によるものと推測される。
【００２１】
近年、難浸透性の記録媒体である印刷用紙や、非浸透性の記録媒体であるガラス、プラスチック、フィルムなどに水性インクを用いて画像を記録するインクジェット記録方法が検討されている。
前記色間滲みは、形成する画像において、２つの色の間の端部（エッジ部分）の線形状が色の滲みにより粗く乱れている現象をいい、記録媒体上に付与されたインクが十分乾燥していない状態において、吐出されたインクは濡れ広がり、他のインクが吐出された際に、先に吐出されたインク滴と他のインク滴とが合一したり、他のインク滴に接触することにより先に吐出されたインク滴が表面張力により移動したりすることにより生じる。
また、難浸透性又は非浸透性の記録媒体を使用した場合においては、インクを乾燥する工程を有していたとしても、前記色間滲みが多く見られる。
一方、単純に前記色間滲みを抑制するために、粘度の高いインクを用いた場合、前記色間滲みは抑制されるが、インクジェット吐出において、吐出安定性が低下してしまう。
【００２２】
水性インクにおいて、インクの粘度は、インク成分の蒸発、特には揮発しやすい水や有機溶媒の蒸発に応じ、指数関数的に上昇する。このインクの粘度と蒸発率との関係を近似式にて表したものが、下記式（１）である。
ｙ＝ａ×ｅｘｐ（１０ｘ）＋ｂ      （１）
式（１）中、ｘはインクにおける質量蒸発率であり、０以上０．６以下を表し、ｙは３０℃におけるインクの粘度（ｍＰａ・ｓ）を表し、ｂはｙ−切片を表す。
なお、ｅｘｐ（１０ｘ）＝ｅ１０ｘであることは言うまでもない。ｅは自然対数の底であるネイピア数を表す。
また、インク蒸発率が６０質量％を超える領域は、インクの固形分量等に依存するため、本実施形態では前記式（１）において考慮しないものとする。
更に、前記式（１）は近似式であるため、ｂの値とインクの３０℃における粘度（蒸発率０質量％の粘度）とは、値が異なる場合もある。
【００２３】
前記式（１）におけるｅｘｐ（１０ｘ）の係数であるａの値は、インクにおける蒸発率に応じた粘度の上昇傾向を示す値である。ａの値が大きいほど、蒸発率の上昇に応じた粘度の上昇量が大きく、ａの値が小さいほど、蒸発率の上昇に応じた粘度の上昇量が小さいことを表す。
【００２４】
赤外線吸収剤、及び、水を含有する第１インクと、赤外線吸収剤、及び、水を含有し、インクの蒸発率０質量％乃至６０質量％における近似式である前記式（１）の係数ａの値が、前記第１インクと１．５倍以上異なる第２インクと、を有するインクジェットインクセットを用い、一方のインクを吐出した後に記録媒体上のインクに赤外線レーザーを照射し、その後に他方のインクを吐出することにより、先に吐出されたインクの濡れ広がりを抑制し前記色間滲みが抑制される。
また、前記第１インク及び前記第２インクは、粘度の上昇傾向が異なるインクであり、蒸発率０質量％時の粘度である吐出時の粘度には影響がなく、粘度の高いインクを用いなくとも前記色間滲みが抑制されるため、インクジェット吐出における吐出安定性にも優れる。
【００２５】
以下、本実施形態に係るインクジェットインクセットの詳細について説明する。
【００２６】
本実施形態に係るインクジェットインクセットにおける前記式（１）におけるａ及びｂの算出方法は、以下の方法により算出するものとする。
レオメーターＨＡＡＫＥ  ＭＡＲＳ（サーモフィッシャーサイエンティフィック（株）製）を使用し、インクの蒸発率０質量％、１５質量％±５質量％の範囲、３０質量％±５質量％の範囲、４５質量％±５質量％の範囲、及び、６０質量％−５質量％の範囲の少なくとも５点で、ステージ温度３０℃、剪断速度１／７５０ｓにおけるインクの粘度を測定する。
前記５点の測定値を使用して前記式（１）に最小二乗法により回帰させ、前記式（１）におけるａ及びｂの値を算出する。
【００２７】
本実施形態に係るインクジェットインクセットにおける各インク（特に断りのない限り、インクセットが有する全てのインクのこととする）は、水を含有することが好ましく、水性インクであることがより好ましい。
また、吐出安定性及び乾燥速度の観点から、前記各インクは、水を５０質量％以上９５質量％以下が好ましく、６０質量％以上９０質量％以下がより好ましく、７０質量％以上８５質量％以下が特に好ましい。
水としては、特に不純物の混入又は微生物の発生を防止するという観点から、イオン交換水、純水、超純水、蒸留水、及び、限外濾過水が好適に挙げられる。
【００２８】
本実施形態に係るインクジェットインクセットにおける各インクは、吐出安定性及びインクの調製容易性の観点から、有機溶媒を含有することが好ましい。
有機溶媒としては、特に制限はないが、水に溶解する有機溶媒であることが好ましく、後述する水性有機溶媒であることがより好ましい。
【００２９】
第１インク、及び、前記式（１）の係数ａの値が前記第１インクと１．５倍以上異なる第２インクを調製する方法としては、特に制限はないが、樹脂の含有量を変える方法、ガラス転移温度の異なる樹脂の含有比率を変える方法、沸点の異なる有機溶媒の含有比率を変える方法、水と有機溶媒との含有比率を変える方法、又は、これらの方法を２以上組み合わせた方法が好ましく挙げられる。
中でも、沸点の異なる有機溶媒の含有比率を変える方法、水と有機溶媒との含有比率を変える方法、又は、これらの方法を組み合わせた方法が特に好ましく挙げられる。
【００３０】
本実施形態に係るインクジェットインクセットは、第１インク及び第２インク以外の１以上のインクを有していてもよい。
第１インク及び第２インク以外の前記インクは、前記式（１）におけるａの値が、第１インク又は第２インクに該当するインクであってもよいし、該当しないインクであってもよいが、第１インク又は第２インクに該当するインクであることが好ましい。
【００３１】
本実施形態に係るインクジェットインクセットが有する全てのインクの３０℃における粘度が、色間滲み及び吐出安定性の観点から、４ｍＰａ・ｓ以上１０ｍＰａ・ｓ以下であることが好ましく、５ｍＰａ・ｓ以上７ｍＰａ・ｓ以下が特に好ましい
また、色間滲み及び吐出安定性の観点から、本実施形態に係るインクジェットインクセットが有する全てのインクにおいて、３０℃における粘度の高いインクの粘度と３０℃における粘度の低いインクの粘度との差が、３ｍＰａ・ｓ以下であることが好ましく、２ｍＰａ・ｓ以下であることがより好ましく、１ｍＰａ・ｓ以下であることが特に好ましい。
本実施形態におけるインクの粘度は、式（１）において前述したように、レオメーターＨＡＡＫＥ  ＭＡＲＳ（サーモフィッシャーサイエンティフィック（株）製）を使用し、ステージ温度３０℃、剪断速度１／７５０ｓにおいて測定するものとする。
【００３２】
本実施形態に係るインクジェットインクセットにおける第１インク及び第２インク（各インク）はそれぞれ、後述するように、着色剤を含有することが好ましい。
本実施形態に係るインクセットにおける第１インク及び第２インクは、異なる色のインクであることが好ましく、シアンインク、マゼンタインク及びイエローインクよりなる群から選ばれた少なくとも２種のインクであることがより好ましい。
また、本実施形態に係るインクジェットインクセットは、フルカラー画像を形成する観点から、シアンインク、マゼンタインク及びイエローインクを有することが好ましく、シアンインク、マゼンタインク、イエローインク及びブラックインクを有することがより好ましい。
本実施形態に係るインクジェットインクセットは、色間滲み及び吐出安定性の観点から、前記式（１）の係数ａの値が、マゼンタインク及びイエローインクよりも１．５倍以上大きいシアンインクを有することが好ましく、前記式（１）の係数ａの値が、マゼンタインク、イエローインク及びブラックインクよりも１．５倍以上大きいシアンインクを有することがより好ましい。
【００３３】
本実施形態に係るインクセットのうち、レーザー照射されるインクは、印字順の早いものほど光吸収率が低く、印字順の遅いものほど光吸収率が高いことが好ましい。
本実施形態におけるインクの光吸収率は、以下の方法により測定するものとする。
紫外可視近赤外分光光度計Ｖ−５６０（日本分光（株）製）と１０ｍｍ角の石英セルを使用し、純水で希釈したインクのレーザー波長における吸光度Ａを測定して、Ｌａｍｂｅｒｔ−Ｂｅｅｒ則による換算式から印字時のインク膜厚における吸収率を求める。すなわち、インク重量Ｗｉｎｋ＝１ｇと純水Ｗｗａｔｅｒ＝２００ｇを混合した溶液の吸光度Ａを測定し、インク膜厚ｄ＝５×１０−３ｍｍの吸収率％Ａ＝１−１０―（（Ｗｉｎｋ／Ｗｗａｔｅｒ）×（ｄ／１０）×Ａ）を計算する。
【００３４】
また、本実施形態に係るインクジェットインクセットは、高温により画像濃度の低下やブリスター（膨れ）が発生しやすいブラックインク等の光吸収率の高いインクを有していても、乾燥時におけるインク温度が高くならず、画像濃度の低下が抑制され、また、ブリスターの発生が抑制される。
【００３５】
本実施形態に用いられる各インクは、赤外線吸収剤と、着色剤と、水及び水性有機溶媒を含む溶媒と、を含有することが好ましく、赤外線吸収剤と、着色剤と、高分子粒子と、水及び水性有機溶媒を含む溶媒と、を含有することがより好ましく、赤外線吸収剤と、着色剤と、高分子粒子と、高分子分散剤と、界面活性剤と、水及び水性有機溶媒を含む溶媒と、を含有することが特に好ましい。
【００３６】
（赤外線吸収剤）
本実施形態に用いられる第１インク及び第２インクは、赤外線吸収剤を含有する。赤外線吸収剤を含有することにより、インクの乾燥に、赤外線レーザー等による赤外線の照射により乾燥も利用される。
また、本実施形態に用いられる第１インク及び第２インク以外のインクは、乾燥速度、及び、インクジェット記録装置における省スペース性の観点から、赤外線吸収剤を含有することが好ましい。
「赤外線吸収剤」とは、赤外線を吸収して発熱する化合物をいう。
「赤外線」とは７００ｎｍ以上１ｍｍ以下の波長域の光をいい、本実施形態に用いられる赤外線吸収剤は、８００ｎｍ以上１，５００ｎｍ以下の波長域に極大吸収を有することが好ましい。
【００３７】
本実施形態に用いられる赤外線吸収剤としては、特に制限はなく、公知の赤外線吸収剤が用いられる。なお、カーボンブラック等の黒色顔料が、赤外線吸収剤として機能してもよい。
また、赤外線吸収剤としては、無機材料又は有機色素を用いることが好ましく、発熱量の観点からは無機材料を用いることが好ましく、近赤外線の照射より近赤外線吸収剤が分解し、近赤外線吸収剤自体の色が薄くなり、インクによる画像の形成を妨げないという観点からは、有機色素を用いることが好ましい。
上記無機材料としては、金属酸化物が好ましく、酸化アンチモンスズ（ＡＴＯ）や酸化インジウムスズ（ＩＴＯ）などが好ましく例示される。
上記有機色素としては、シアニン色素、フタロシアニン色素、メロシアニン色素、スクアリリウム色素、オニウム化合物、インドレニンシアニン、ピリリウム塩、ニッケルチオレート錯体などが挙げられる。中でも、シアニン色素、フタロシアニン色素、メロシアニン色素及びスクアリリウム色素よりなる群から選ばれた少なくとも１種の有機色素が好ましい。
【００３８】
本実施形態に用いられる各インクは、赤外線吸収剤を１種単独で含有しても、２種以上を併用してもよい。
各インクにおける赤外線吸収剤の含有量は、インクの全質量に対し、０．００１質量％以上３質量％以下であることが好ましく、０．００５質量％以上２質量％以下であることがより好ましい。上記範囲であれば、発熱量も十分であり、インクによる画像の形成への影響が少ない。
【００３９】
赤外線吸収剤としては、市販の赤外線吸収剤を使用することもでき、ＮＩＲシリーズ（ナガセケムテックス（株）製）、ＫＡＹＡＳＯＲＢシリーズ（日本化薬（株）製）、Ｔ−１シリーズ（三菱マテリアル電子化成（株）製）等が挙げられる。
【００４０】
（水性有機溶媒）
水性有機溶媒としては、多価アルコール、多価アルコール誘導体、含窒素溶媒、アルコール、含硫黄溶媒等が挙げられる。水性有機溶媒としては、その他、炭酸プロピレン、炭酸エチレン等も挙げられる。
水性有機溶媒としては、沸点１５０℃以上の水性有機溶媒が好ましく挙げられる。
【００４１】
多価アルコールとしては、エチレングリコール、ジエチレングリコール、プロピレングリコール、ブチレングリコール、トリエチレングリコール、１，５−ペンタンジオール、１，２−へキサンジオール、１，２，６−ヘキサントリオール、グリセリン等が挙げられる。
多価アルコール誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
含窒素溶媒としては、ピロリドン、Ｎ−メチル−２−ピロリドン、シクロヘキシルピロリドン、トリエタノールアミン等が挙げられる。
アルコールとしては、エタノール、イソプロピルアルコール、ブチルアルコール、ベンジルアルコール等が挙げられる。
含硫黄溶媒としては、チオジエタノール、チオジグリセロール、スルフォラン、ジメチルスルホキシド等が挙げられる。
【００４２】
水性有機溶媒は、１種類で使用しても２種類以上を併用してもよい。
これらの中でも、前記各インクは、乾燥速度の調整、及び、ヘッドの耐目詰まり性の観点から、水性有機溶媒として、多価アルコールを含むことが好ましく、プロピレングリコール及び１，２−へキサンジオールよりなる群から選ばれた水性有機溶媒を含むことがより好ましく、プロピレングリコール及び１，２−へキサンジオールを含むことが特に好ましい。
【００４３】
各インクにおける水性有機溶媒の含有量は、水に対して１質量％以上６０質量％以下が好ましく、１質量％以上４０質量％以下がより好ましい。
【００４４】
（着色剤）
本実施形態に用いられる各インクは、着色剤を含有することが好ましい。
着色剤としては、目的とする色のインクに応じたものを使用すればよく、具体的には、顔料及び染料が挙げられる。顔料としては、有機顔料、及び、無機顔料が挙げられる。
【００４５】
シアン色顔料の具体例としては、Ｃ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
マゼンタ色顔料の具体例としては、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１７７，−１８４，−２０２，  Ｃ．Ｉ．Ｐｉｇｍｅｎｔ  Ｖｉｏｌｅｔ−１９等が挙げられるが、これらに限定されるものではない。
イエロー顔料の具体例としては、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１８０等が挙げられるが、これらに限定されるものではない。
黒色顔料としては、カーボンブラック、酸化銅、二酸化マンガン、活性炭、非磁性フェライト、マグネタイト等が挙げられるが、これらに限定されるものではない。
また、その他、公知の顔料及び染料が用いられる。
【００４６】
ここで、着色剤として顔料を使用した場合には、併せて顔料分散剤を用いることが好ましい。使用される顔料分散剤としては、高分子分散剤や、後述するアニオン性界面活性剤、カチオン性界面活性剤、両性界面活性剤及びノニオン性界面活性剤等が挙げられる。
【００４７】
高分子分散剤としては、親水性構造部と疎水性構造部とを有する重合体が好適に用いられる。親水性構造部と疎水性構造部とを有する重合体としては、例えば縮合系重合体と付加重合体とが使用される。縮合系重合体としては、公知のポリエステル系分散剤が挙げられる。付加重合体としては、α，β−エチレン性不飽和基を有する単量体の付加重合体が挙げられる。親水性基を有するα，β−エチレン性不飽和基を有する単量体と疎水性基を有するα，β−エチレン性不飽和基を有する単量体を組み合わせて共重合することにより目的の高分子分散剤が得られる。また、親水性基を有するα，β−エチレン性不飽和基を有する単量体の単独重合体も用いられる。
【００４８】
親水性基を有するα，β−エチレン性不飽和基を有する単量体としては、カルボキシル基、スルホン酸基、水酸基、りん酸基等を有する単量体、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【００４９】
疎水性基を有するα，β−エチレン性不飽和基を有する単量体としては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００５０】
高分子分散剤として好ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体、又はこれらの塩等が挙げられる。また、これらの重合体に、ポリオキシエチレン基、水酸基を有する単量体を共重合させてもよい。
中でも、スチレン−アクリル酸共重合体、及び、スチレン−アクリル酸塩共重合体よりなる群から選ばれた高分子分散剤が好ましく、スチレン−アクリル酸塩共重合体がより好ましく、スチレン−アクリル酸アルカリ金属塩共重合体が特に好ましい。
【００５１】
高分子分散剤の重量平均分子量としては、２，０００以上５０，０００以下が好ましい。なお、特別に記載しない限り、本実施形態における重量平均分子量は、ゲルパーミエーションクロマトグラフィ（ＧＰＣ）で測定し、標準ポリスチレンで換算した値である。
【００５２】
これら高分子分散剤は、単独で用いても、二種類以上を併用しても構わない。高分子分散剤の含有量は、顔料により大きく異なるため一概には言えないが、顔料に対し、０．１質量％以上１００質量％以下であることがよい。
【００５３】
顔料としては、水に自己分散する顔料（以下自己分散型顔料と称する）も挙げられる。
自己分散型顔料とは、顔料表面に水に対する可溶化基を有し、高分子分散剤が存在しなくとも水中で分散する顔料のことを指す。自己分散型顔料は、例えば、顔料に対して酸・塩基処理、カップリング剤処理、ポリマーグラフト処理、プラズマ処理、酸化／還元処理等の表面改質処理を施すことにより得られる。
【００５４】
自己分散型顔料としては、上記顔料に対して表面改質処理を施した顔料の他、キャボット社製のＣａｂ−ｏ−ｊｅｔ−２００、Ｃａｂ−ｏ−ｊｅｔ−３００、Ｃａｂ−ｏ−ｊｅｔ−４００、ＩＪＸ−１５７、ＩＪＸ−２５３、ＩＪＸ−２６６、ＩＪＸ−２７３、ＩＪＸ−４４４、ＩＪＸ−５５、Ｃａｂ−ｏ−ｊｅｔ−２５０Ｃ、Ｃａｂ−ｏ−ｊｅｔ−２６０Ｍ，Ｃａｂ−ｏ−ｊｅｔ−２７０Ｙ，Ｃａｂ−ｏ−ｊｅｔ−４５０Ｃ，Ｃａｂ−ｏ−ｊｅｔ−４６５Ｍ，Ｃａｂ−ｏ−ｊｅｔ−４７０Ｙ，Ｃａｂ−ｏ−ｊｅｔ−４８０Ｍ、オリエント化学工業（株）製のＭｉｃｒｏｊｅｔ  Ｂｌａｃｋ  ＣＷ−１、ＣＷ−２等の市販の自己分散顔料等も挙げられる。
【００５５】
自己分散型顔料としては、その表面に官能基として少なくともスルホン酸、スルホン酸塩、カルボン酸又はカルボン酸塩を有する顔料であることが好ましく、表面に官能基として少なくともカルボン酸又はカルボン酸塩を有する顔料であることがより好ましい。
【００５６】
ここで、顔料としては、樹脂により被覆された顔料等も挙げられる。これは、マイクロカプセル顔料と呼ばれ、ＤＩＣ（株）製、東洋インキ（株）製などの市販のマイクロカプセル顔料がある。なお、市販のマイクロカプセル顔料に限られず、目的に応じて作製したマイクロカプセル顔料を使用してもよい。
また、顔料としては、高分子化合物を顔料に物理的に吸着又は化学的に結合させた樹脂分散型顔料も挙げられる。
また、顔料としては、シアン、マゼンタ、イエローの３原色顔料のほか、赤、緑、青、茶、白、黒等の特定色顔料や、金、銀色等の金属光沢顔料、無色又は淡色の体質顔料、プラスチックピグメント等も挙げられる。
また、顔料としては、シリカ、アルミナ、又は、ポリマービード等をコアとして、その表面に染料又は顔料を固着させた粒子、染料の不溶レーキ化物、着色エマルション、着色ラテックス等も挙げられる。
【００５７】
着色剤としては、顔料の他、その他、親水性のアニオン染料、直接染料、カチオン染料、反応性染料、高分子染料等や油溶性染料等の染料類、染料で着色したワックス粉、樹脂粉、又はエマルション、蛍光染料や蛍光顔料等も挙げられる。
【００５８】
着色剤の体積平均粒径は、例えば、１０ｎｍ以上１，０００ｎｍ以下であることが挙げられる。
着色剤の体積平均粒径とは、着色剤そのものの粒径、又は着色剤に分散剤等の添加物が付着している場合には、添加物が付着した粒径をいう。
体積平均粒径の測定には、マイクロトラックＵＰＡ粒度分析計  ＵＰＡ−ＵＴ１５１  （Ｍｉｃｒｏｔｒａｃ社製）により行う。その測定は、１，０００倍希釈したインクを測定セルに入れて行う。なお、測定時の入力値として、粘度にはインク希釈液の粘度を、粒子屈折率は着色剤の屈折率を採用する。
【００５９】
着色剤の含有量（濃度）は、例えば、インクに対して１質量％以上２５質量％以下が好ましく、２質量％以上２０質量％以下がより好ましい。
【００６０】
（高分子粒子）
高分子粒子について説明する。
本実施形態に用いられる各インクは、高分子粒子を含むことが好ましい。
高分子粒子は、記録媒体に対するインクによる画像の定着性を高める成分である。
なお、高分子粒子は、高分子化合物を粒状化したものであって、前述した高分子分散剤とは別の成分である。
【００６１】
高分子粒子としては、例えば、スチレン−アクリル酸共重合体、スチレン−アクリル酸−アクリル酸ナトリウム共重合体、スチレン−ブタジエン共重合体、ポリスチレン、アクリロニトリル−ブタジエン共重合体、アクリル酸エステル共重合体、ポリウレタン、ポリエステル、シリコーン−アクリル酸共重合体、アクリル変性フッ素樹脂等の粒子（ラテックス粒子）が挙げられる。
なお、高分子粒子としては、粒子の中心部と外縁部で組成を異にしたコア・シェル型の高分子粒子も挙げられる。
【００６２】
高分子粒子は、乳化剤を用いてインク中に分散させたものであってもよく、乳化剤を用いないでインク中に分散させたものであってもよい。
乳化剤としては、界面活性剤、スルホン酸基、カルボキシル基等の親水性基を有するポリマー（例えば、親水性基がグラフト結合しているポリマー、親水性を持つ単量体と疎水性の部分を持つ単量体とから得られるポリマー）が挙げられる。
【００６３】
高分子粒子の体積平均粒径は、画像の光沢性及び耐擦過性の点から、１０ｎｍ以上３００ｎｍ以下が好ましく、１０ｎｍ以上２００ｎｍ以下がより好ましい。
高分子粒子の体積平均粒径の測定は、マイクロトラックＵＰＡ粒度分析計  ＵＰＡ−ＵＴ１５１（Ｍｉｃｒｏｔｒａｃ社製）により行う。その測定は、１，０００倍希釈したインクを測定セルに入れて行う。なお、測定時の入力値として、粘度にはインク希釈液の粘度を、粒子屈折率は高分子粒子の屈折率を採用する。
【００６４】
高分子粒子のガラス転移温度は、着弾ムラを抑制する点から、４０℃以上９０℃以下が好ましく、７０℃以上９０℃以下がより好ましい。一方、高分子粒子のガラス転移温度は、画像の耐擦過性の点から、−２０℃以上８０℃以下が好ましく、より好ましくは−１０℃以上６０℃以下である。
高分子粒子のガラス転移温度は、示差走査熱量測定（ＤＳＣ）により得られたＤＳＣ曲線より求め、より具体的にはＪＩＳ  Ｋ７１２１−１９８７「プラスチックの転移温度測定方法」のガラス転移温度の求め方に記載の「補外ガラス転移開始温度」により求められる。
【００６５】
高分子粒子の含有量は、画像の定着性を高める点、吐出安定性、成膜性の点から、インクに対して０．１質量％以上１０質量％以下が好ましく、０．５質量％以上５質量％以下がより好ましい。
【００６６】
（界面活性剤）
界面活性剤について説明する。
本実施形態に用いられる各インクは、界面活性剤を含むことが好ましい。
インクは、界面活性剤として、例えば、ＨＬＢ（親水基／疎水基バランス「Ｈｙｄｒｏｐｈｉｌｅ−  Ｌｉｐｏｐｈｉｌｅ  Ｂａｒａｎｃｅ」）が１４以下の界面活性剤を含むことが好ましい。ＨＬＢが１４以下の界面活性剤の量を調整する、また、異なるＨＬＢの界面活性剤を複数種使用することなどにて、インクの表面張力の調整がし易くなる。
【００６７】
なお、ＨＬＢ（親水基／疎水基バランス「Ｈｙｄｒｏｐｈｉｌｅ−  Ｌｉｐｏｐｈｉｌｅ  Ｂａｒａｎｃｅ」）は、以下の式（グリフィン法）により定義されるものである。
・ＨＬＢ＝２０×（親水部の式量の総和／分子量）
【００６８】
このような界面活性剤としては、アセチレングリコールのエチレンオキサイド付加物、及びポリエーテル変性シリコーンよりなる群から選択する少なくとも一種が挙げられる。
【００６９】
アセチレングリコールのエチレンオキサイド付加物は、例えば、アセチレングリコールの少なくとも一つの水酸基にエチレンオキサイドを付加させた−Ｏ−（ＣＨ２ＣＨ２Ｏ）ｎ−Ｈ構造（なお、例えばｎは１以上３０以下の整数を示す）を持つ化合物である、
アセチレングリコールのエチレンオキサイド付加物の市販品（なお、括弧内の数値はＨＬＢのカタログ値を示す）としては、例えば、オルフィンＥ１００４（７以上９以下）、オルフィンＥ１０１０（１３以上１４以下）、オルフィンＥＸＰ．４００１（８以上１１以下）、オルフィンＥＸＰ．４１２３（１１以上１４以下）、オルフィンＥＸＰ．４３００（１０以上１３以下）、サーフィノール１０４Ｈ（４）、サーフィノール４２０（４）、サーフィノール４４０（４）、ダイノール６０４（８）（以上、日信化学工業（株）製）等が挙げられる。
【００７０】
ポリエーテル変性シリコーンは、例えば、シリコーン鎖（ポリシロキサン主鎖）に、ポリエーテル基がグラフト状に結合した化合物、又はブロック状に結合した化合物である。ポリエーテル基としては、例えば、ポリオキシエチレン基、ポリオキシプロピレン基が挙げられる。ポリエーテル基としては、例えば、オキシエチレン基とオキシプロピレン基がブロック状又はランダムに付加したポリオキシアルキレン基であってもよい。
ポリエーテル変性シリコーンの市販品（なお、括弧内の数値はＨＬＢのカタログ値を示す）としては、シルフェイスＳＡＧ００２（１２）、シルフェイスＳＡＧ５０３Ａ（１１）、シルフェイスＳＡＧ００５（７）（以上、日信化学工業（株）製）等が挙げられる。
【００７１】
インクには、アセチレングリコールのエチレンオキサイド付加物、及びポリエーテル変性シリコーン以外の、その他の界面活性剤を用いてもよい。
その他の界面活性剤としては、アニオン性界面活性剤、ノニオン性界面活性剤、カチオン性界面活性剤、両性界面活性剤等が挙げられ、好ましくは、アニオン性界面活性剤、ノニオン性界面活性剤である。
【００７２】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられる。
これらの中でも、アニオン性界面活性剤としては、ドデシルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等がよい。
【００７３】
ノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、アルキルアルカノールアミド、ポリエチレングリコールポリプロピレングリコールブロックコポリマー、アセチレングリコール等が挙げられる。
これらの中でも、ノニオン性界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、ポリエチレングリコールポリプロピレングリコールブロックコポリマー、アセチレングリコールがよい。
【００７４】
ノニオン性界面活性剤としては、その他、ポリシロキサンオキシエチレン付加物等のシリコーン系界面活性剤；パーフルオロアルキルカルボン酸塩、パーフルオロアルキルスルホン酸塩、オキシエチレンパーフルオロアルキルエーテル等のフッ素系界面活性剤；スピクリスポール酸やラムノリピド、リゾレシチン等のバイオサーファクタント；等も挙げられる。
【００７５】
他の界面活性剤の親水性／疎水性バランス（ＨＬＢ）は、溶解性等を考慮すると、例えば、３以上２０以下の範囲がよい。
【００７６】
界面活性剤は、１種類で使用しても２種類以上を併用してもよい。
これらの中でも、界面活性剤としては、アセチレングリコールのエチレンオキサイド付加物が好ましく、また、前記各インクは、アセチレングリコールのエチレンオキサイド付加物を２種以上含むことがより好ましい。
【００７７】
各インクにおける界面活性剤の含有量は、総計で、インクに対して０．１質量％以上１０質量％以下が好ましく、０．１質量％以上５質量％以下がより好ましく、０．２質量％以上３質量％以下が更に好ましい。
【００７８】
（その他の添加剤）
その他の添加剤について説明する。
本実施形態に用いられる各インクは、その他の添加剤を含んでもよい。
その他の添加剤としては、インク吐出性改善剤（ポリエチレンイミン、ポリアミン類、ポリビニルピロリドン、ポリエチレングリコール、エチルセルロース、カルボキシメチルセルロース等）、導電率／ｐＨ調整剤（水酸化カリウム、水酸化ナトリウム、水酸化リチウム等のアルカリ金属類の化合物等）、前記水性有機溶媒以外の有機溶媒、反応性の希釈溶媒、浸透剤、ｐＨ緩衝剤、酸化防止剤、防カビ剤、粘度調整剤、導電剤、キレート化剤、紫外線吸収剤等が挙げられる。
【００７９】
（各インクの物性）
各インクの好適な物性について説明する。
各インクが水性インクである場合、各水性インクのｐＨは、好ましくは４以上１０以下の範囲、より好ましくは５以上９以下の範囲が挙げられる。
ここで、水性インクのｐＨは、温度２３±０．５℃、湿度５５±５％Ｒ．Ｈ．環境下において、ｐＨ／導電率計（メトラー・トレド社製ＭＰＣ２２７）により測定した値を採用する。
【００８０】
また、各インクが水性インクである場合、各水性インクの導電率は、０．０１Ｓ／ｍ以上０．５Ｓ／ｍ以下の範囲が好ましく、０．０１Ｓ／ｍ以上０．２５Ｓ／ｍ以下の範囲がより好ましく、０．０１Ｓ／ｍ以上０．２０Ｓ／ｍ以下の範囲が更に好ましい。
導電率の測定は、ＭＰＣ２２７（ｐＨ／Ｃｏｎｄｕｃｔｉｖｉｔｙ  Ｍｅｔｅｒ、メトラー・トレド社製）で行う。
【００８１】
（用途）
ここで、本実施形態に用いられる各インクは、例えば、シアンインク、マゼンタインク、イエローインク、ブラックインク、ホワイトインク及びこれら色以外の中間色インク、グリーンインク、オレンジインク及びバイオレットインク等の特色インク、並びに、メタリックインク等のいずれであってもよい。
【００８２】
〔記録媒体〕
本実施形態に係るインクジェットインクセットを用いた被記録対象となる記録媒体としては、特に制限されず、公知のあらゆる記録媒体が挙げられる。
本実施形態に係るインクジェット記録方法及び本実施形態に係るインクジェット記録装置によれば、色間滲みが発生しやすい低浸透性又は非浸透性の記録媒体に対しても色間滲みが抑制される。
【００８３】
なお、浸透性の記録媒体としては、普通紙等が挙げられる。具体的には、浸透性の記録媒体とは、動的走査吸液計で測定した接触時間５００ｍｓ以内におけるインクの最大吸液量が１５ｍｌ／ｍ2を超える記録媒体を意味する。
一方、非浸透性の記録媒体としては、例えば、樹脂、金属、ガラス、セラミックス、シリコン、ゴム等を材料とするフィルム、板等；などが挙げられる。具体的には、非浸透性の記録媒体とは、動的走査吸液計で測定した接触時間５００ｍｓ以内におけるインクの最大吸液量が３ｍｌ／ｍ2未満である記録媒体を意味する。
低浸透性の記録媒体としては、コート紙、アート紙及びキャスト紙等の塗工紙が挙げられる。具体的には、低浸透性の記録媒体とは、動的走査吸液計で測定した接触時間５００ｍｓ以内におけるインクの最大吸液量が３ｍｌ／ｍ2以上１５ｍｌ／ｍ2以下の範囲である記録媒体を意味する。
【００８４】
記録媒体としては、塗工紙及び樹脂フィルムが好ましく挙げられ、塗工紙がより好ましく挙げられる。
【００８５】
〔インクカートリッジセット〕
本実施形態に係るインクカートリッジは、本実施形態に係るインクジェットインクセットのうち前記第１インクを収容した第１インクカートリッジと、本実施形態に係るインクジェットインクセットのうち前記第２インクを収容した第２インクカートリッジと、を有する。
本実施形態に係るインクカートリッジセットにおける各インクカートリッジは、例えば、インクジェット方式の記録装置に着脱可能な形態で提供されることが好ましい。
本実施形態に係るインクカートリッジは、第１インクカートリッジ及び第２インクカートリッジ以外のインクカートリッジを有していてもよい。
【００８６】
〔インクジェット記録装置及びインクジェット記録方法〕
本実施形態に係るインクジェット記録装置は、本実施形態に係るインクジェットインクセットを収容し、前記第１インクを記録媒体上に吐出する第１吐出ヘッド、前記第２インクを記録媒体上に吐出する第２吐出ヘッド、並びに、前記記録媒体上に吐出された前記第１インク及び前記第２インクの少なくとも１方を乾燥する赤外線照射手段、を備える。
また、本実施形態に係るインクジェット記録装置は、本実施形態に係るインクセットを収容し、イエローインクを記録媒体上に吐出するイエローインク吐出ヘッド、マゼンタインクを記録媒体上に吐出するマゼンタインク吐出ヘッド、シアンインクを記録媒体上に吐出するシアンインク吐出ヘッド、ブラックインクを記録媒体上に吐出するブラック吐出ヘッド、前記記録媒体上に吐出された前記イエローインクを乾燥する第１赤外線照射手段、前記記録媒体上に吐出された前記マゼンタインクを乾燥する第２赤外線照射手段、並びに、前記記録媒体上に吐出された前記シアンインクを乾燥する第３赤外線照射手段、を備え、前記第１インク及び第２インクがそれぞれ、イエローインク、マゼンタインク、シアンインク及びブラックインクよりなる群から選ばれる少なくとも１種のインクである態様が好ましい。
【００８７】
本実施形態に係るインクジェット記録装置では、本実施形態に係るインクジェットインクセットのうち前記第１インクを記録媒体上に吐出する工程、本実施形態に係るインクジェットインクセットのうち前記第２インクを記録媒体上に吐出する工程、並びに、前記記録媒体上に吐出された前記第１インク及び前記第２インクの少なくとも１方を赤外線の照射により乾燥する工程、を有するインクジェット記録方法（本実施形態に係るインクジェット記録方法）が実施される。
【００８８】
インク液滴の吐出に用いる前記吐出ヘッドは、特に制限はなく、公知のインクジェットヘッドが用いられ、例えば、ピエゾ型のインクジェットヘッドや、サーマル型のインクジェットヘッドが挙げられる。
各インクの吐出温度は、特に制限はなく、使用するインクに応じて調整することができる。
本実施形態に係るインクジェット記録装置及びインクジェット記録方法において、各インクの吐出は、必要に応じ、複数回行ってもよい。例えば、記録媒体の同一の箇所に、１種類のインクを複数回吐出してもよいし、２種以上のインクをそれぞれ１回吐出してもよいし、２種以上のインクをそれぞれ複数回吐出してもよい。
【００８９】
本実施形態に係るインクジェット記録装置においては、色間滲みの観点から、各インクの光吸収率に応じて、光吸収率の低いインクを吐出する吐出ヘッドを記録媒体搬送方向上流側に、吸収率の高いインクを吐出する吐出ヘッドを下流側に順に配置することが好ましい。
【００９０】
前記赤外線照射手段は、特に制限はないが、少なくとも７６０ｎｍ以上１，５００ｎｍ以下の波長域の赤外線を記録媒体に照射可能な手段であることが好ましく、例えば、赤外線レーザー照射装置等が好適に挙げられる。
また、赤外線照射手段としては、赤外線レーザー照射装置、赤外発光ダイオード（赤外ＬＥＤ）等が挙げられる。中でも、赤外線レーザー照射装置が好ましい。
更に、赤外線照射手段としては、記録媒体の幅方向に沿って複数の赤外線レーザー発光素子が配置された赤外線レーザー照射ユニットを使用することも可能である。
上記赤外線レーザー照射ユニットにおける、各赤外線レーザー発光素子のレーザーの照射タイミング、照射位置及び照射量は、例えば、各赤外線近レーザー発光素子に供給する電流値に応じて、赤外線レーザー発光素子ごとに調整されるようになっていることが好ましい。このような赤外線レーザー照射ユニットは、上記のような電流値の調整機構と、赤外線レーザーの照射量を測定するセンサを有することにより、赤外線レーザーの照射タイミングを制御する機構や、赤外線レーザー照射量のバラツキを補正する機構を有することが可能である。
このような赤外線レーザー照射ユニットとしては、特開２０１５−１１２７９２号公報に記載のレーザー乾燥ユニット等が挙げられる。
【００９１】
赤外線レーザーの照射は、記録媒体の全面に行ってもよいし、一部に行ってもよいが、少なくともインクを吐出した箇所を含む領域に照射することが好ましい。
赤外線の照射量は、インクの乾燥に適する量であればよいが、１，０００Ｊ／ｍ2以上１００，０００Ｊ／ｍ2以下が好ましく、３，０００Ｊ／ｍ2以上７０，０００Ｊ／ｍ2以下がより好ましく、５，０００Ｊ／ｍ2以上５０，０００Ｊ／ｍ2以下が更に好ましい。なお、前記赤外線の照射量は、記録媒体表面における赤外線の照射量とする。
赤外線の照射時間としては、特に制限なく、インクが乾燥するまで照射すればよいが、１００μｓ以上１ｓ以下が好ましく、５００μｓ以上０．５ｓ以下がより好ましく、０．１ｍｓ以上０．３ｓ以下が更に好ましい。
【００９２】
また、本実施形態に係るインクジェット記録装置は、色間滲みの観点から、各吐出ヘッド（吐出手段）の間に、前記赤外線照射手段をそれぞれ有することが好ましい。
更に、本実施形態に係るインクジェット記録装置は、色間滲みの観点から、全ての吐出ヘッド（吐出手段）の記録媒体搬送方向下流側に、前記赤外線照射手段以外の乾燥手段を有することが好ましい。乾燥手段としては、特に制限はなく、公知の手段が用いられ、例えば、乾燥ドラム、温風送風装置、近赤外線ヒータ等が挙げられる。
【００９３】
本実施形態に係るインクジェット記録装置及びインクジェット記録方法は、本実施形態に係るインクジェットインクセットを用いることにより、インクの吐出安定性に優れるとともに、色間滲みが抑制された画像が形成される。
【００９４】
本実施形態に係るインクジェット記録装置は、本実施形態に係るインクジェットインクセットにおける各インクを収容し、記録装置に着脱されるようカートリッジ化されたインクカートリッジセットを備えていてもよい。
【００９５】
以下、本実施形態に係る記録装置の一例について図面を参照しつつ説明する。
【００９６】
図１は、本実施形態に係るインクジェット記録装置の一例を示す概略構成図である。
インクジェット記録装置１０は、図１に示すように、各インクを記録媒体Ｐ上に吐出する吐出ヘッド１２２Ｙ、１２２Ｍ、１２２Ｃ、１２２Ｋを備える記録装置である。インクジェット記録装置１０では、水性インクを記録媒体Ｐ上に吐出する吐出手段を有するインクジェット記録装置が実現される。これにより、記録媒体Ｐ上に水性インクによる画像を記録する。
【００９７】
具体的には、インクジェット記録装置１０は、例えば、記録媒体Ｐとしての連帳紙（以下、「連帳紙Ｐ」とも称する。）に画像を記録する画像記録ユニット１２を備えている。
インクジェット記録装置１０は、画像記録ユニット１２に供給する連帳紙Ｐが収容される前処理ユニット１４と、前処理ユニット１４から画像記録ユニット１２へ供給される連帳紙Ｐの搬送量等を調整するバッファユニット１６と、を備えている。バッファユニット１６は、画像記録ユニット１２と前処理ユニット１４との間に配置されている。
記録装置１０は、例えば、画像記録ユニット１２から排出される連帳紙Ｐを収容する後処理ユニット１８と、画像記録ユニット１２から後処理ユニット１８へ排出される連帳紙Ｐの搬送量等を調整するバッファユニット２０と、を備えている。バッファユニット２０は、画像記録ユニット１２と後処理ユニット１８との間に配置されている。
インクジェット記録装置１０は、画像記録ユニット１２とバッファユニット２０との間に配置され、画像記録ユニット１２から搬出される連帳紙Ｐを冷却する冷却ユニット２２を備えている。
【００９８】
画像記録ユニット１２は、例えば、連帳紙Ｐを連帳紙Ｐの搬送経路１２４に沿って案内するロール部材（符号省略）と、連帳紙Ｐの搬送経路１２４に沿って搬送される連帳紙Ｐに水性インク（水性インクの液滴）を吐出して画像を記録する吐出装置１２１とを備えている。
吐出装置１２１は、連帳紙Ｐに各インクを吐出する吐出ヘッド１２２Ｙ、１２２Ｍ、１２２Ｃ、１２２Ｋを備えている。前記吐出ヘッドは、例えば、有効な記録領域（インクを吐出するノズルの配置領域）が連帳紙Ｐの幅（連帳紙Ｐの搬送方向と交差（例えば直交）する方向の長さ）以上とされた長尺状の記録ヘッドである。
なお、前記吐出ヘッドは、これに限られず、連帳紙Ｐの幅よりも短尺状の吐出ヘッドであって、連帳紙Ｐの幅方向に移動して水性インクを吐出する方式（いわゆる、キャリッジ方式）の吐出ヘッドであってもよい。
【００９９】
吐出ヘッド１２２Ｙ、１２２Ｍ、１２２Ｃ、１２２Ｋは、インクの液滴を熱により吐出する、いわゆる、サーマル方式であってもよいし、インクの液滴を圧力により吐出する、いわゆる、ピエゾ方式であってもよく、公知のものが適用される。
インクジェット記録装置１０は、例えば、連帳紙Ｐにインクを吐出してＹ（イエロー）色の画像を記録する吐出ヘッド１２２Ｙと、Ｍ（マゼンタ）色の画像を記録する吐出ヘッド１２２Ｍと、Ｃ（シアン）色の画像を記録する吐出ヘッド１２２Ｃと、Ｋ（ブラック）色の画像を記録する吐出ヘッド１２２Ｋと、を有している。そして、吐出ヘッド１２２Ｙと、吐出ヘッド１２２Ｍと、吐出ヘッド１２２Ｃと、吐出ヘッド１２２Ｋとは、この順番で連帳紙Ｐの搬送方向（以下、単に「用紙搬送方向」と記載することがある。）に沿って上流側から下流側に連帳紙Ｐと対向するように並べられている。なお、吐出ヘッドの表記において、Ｙ、Ｍ、Ｃ、Ｋを区別しない場合には、符号に付しているＹ、Ｍ、Ｃ、Ｋを省略する。
【０１００】
吐出装置１２１は、上記４色のそれぞれに対応した４つの第１吐出ヘッド及び４つの第２吐出ヘッドを配置する形態に限られず、目的に応じて、他の中間色を加えた４色以上のそれぞれに対応した４つ以上の第１吐出ヘッド及び４つ以上の第２吐出ヘッドを配置した形態であってもよい。
ここで、吐出ヘッド１２２Ｙ、１２２Ｍ、１２２Ｃ、１２２Ｋとしては、例えば、インク滴量以上１５ｐｌ以下の範囲でインクを吐出する低解像度用の吐出ヘッド（例えば６００ｄｐｉの吐出ヘッド）、インク滴量１０ｐｌ未満の範囲でインクを吐出する高解像度用の吐出ヘッド（例えば１，２００ｄｐｉの吐出ヘッド）のいずれを備えていてもよい。また、吐出装置１２１は、低解像度用の吐出ヘッド、及び、高解像度用の吐出ヘッドの双方を備えていてもよい。また、ｄｐｉは「dot per inch」を意味する。
吐出ヘッド１２２Ｙ、１２２Ｍ、１２２Ｃ、１２２Ｋの各間には、乾燥手段として、赤外線レーザー照射装置１２８Ａ、１２８Ｂ、１２８Ｃがそれぞれ設けられている。また、吐出ヘッド１２２Ｋの用紙搬送方向の下流側に、更に赤外線レーザー照射装置を有していてもよい。
吐出装置１２１は、吐出ヘッド１２２Ｙ、１２２Ｍ、１２２Ｃ、１２２Ｋに対して用紙搬送方向の下流側に、例えば、連帳紙Ｐの裏面が巻き掛けられ、搬送される連帳紙Ｐと接触して従動回転しながら連帳紙Ｐ上の画像（インク）を乾燥する乾燥ドラム１２６（乾燥装置の一例）が配置されている。
乾燥ドラム１２６の内部には、加熱源（例えばハロゲンヒータ等：不図示）が内蔵されている。乾燥ドラム１２６は、加熱源による加熱により連帳紙Ｐ上の画像（水性インク）を乾燥する。
乾燥ドラム１２６の周囲には、連帳紙Ｐ上の画像（インク）を乾燥する温風送風装置１２８（乾燥装置の一例）が配置されている。この温風送風装置１２８による温風によって、乾燥ドラム１２６に巻き掛けられた連帳紙Ｐ上の画像（インク）を乾燥する。
【０１０１】
一方、前処理ユニット１４は、画像記録ユニット１２へ供給される連帳紙Ｐが巻き付けられている供給ロール１４Ｂを備えており、この供給ロール１４Ｂは、図示せぬフレーム部材に回転可能に支持されている。
【０１０２】
バッファユニット１６には、例えば、用紙搬送方向に沿って第１パスローラ１６Ａ、ダンサーローラ１６Ｂ及び第２パスローラ１６Ｃが配置されている。ダンサーローラ１６Ｂは、図１中上下に移動することにより、画像記録ユニット１２へ搬送される連帳紙Ｐの張力調整、及び連帳紙Ｐの搬送量を調整する。
【０１０３】
後処理ユニット１８は、画像が記録された連帳紙Ｐを巻き取る搬送部の一例としての巻取ロール１８Ａを備えている。この巻取ロール１８Ａが図示せぬモータから回転力を受けて回転することで、連帳紙Ｐが搬送経路１２４に沿って搬送されるようになっている。
【０１０４】
バッファユニット２０には、例えば、用紙搬送方向に沿って第１パスローラ２０Ａ、ダンサーローラ２０Ｂ及び第２パスローラ２０Ｃが配置されている。ダンサーローラ２０Ｂは、図１中上下に移動することにより、後処理ユニット１８へ排出される連帳紙Ｐの張力調整、及び、連帳紙Ｐの搬送量を調整する。
冷却ユニット２２には、複数のクーリングローラ２２Ａが配置されている。複数のクーリングローラ２２Ａの間に連帳紙Ｐを搬送することにより、連帳紙Ｐを冷却する。
【０１０５】
次に、本実施形態に係るインクジェット記録装置１０による動作（記録装置）について説明する。
本実施形態に係るインクジェット記録装置１０では、まず、前処理ユニット１４の供給ロール１４Ｂから、バッファユニット１６を通じて、画像記録ユニット１２に連帳紙Ｐを搬送する。
次に、画像記録ユニット１２において、吐出装置１２１の各吐出ヘッド１２２Ｙ、１２２Ｍ、１２２Ｃ、１２２Ｋからインクを記録媒体上に吐出する。これにより、連帳紙Ｐ上に水性インクによる画像が形成される。吐出ヘッド１２２Ｙにより吐出されたインクは、赤外線レーザー照射装置１２８Ａにより赤外線が照射され、少なくとも一部の水等の溶媒が揮発する。また、吐出ヘッド１２２Ｍにより吐出されたインクは、赤外線レーザー照射装置１２８Ｂにより赤外線が照射され、少なくとも一部の水等の溶媒が揮発する。更に、吐出ヘッド１２２Ｃにより吐出されたインクは、赤外線レーザー照射装置１２８Ｃにより赤外線が照射され、少なくとも一部の水等の溶媒が揮発する。また、吐出ヘッド１２２Ｋにより吐出されたインクに対し、赤外線レーザー照射装置により赤外線を照射してもよく、この場合、前記吐出ヘッド１２２Ｋにより吐出されたインクは少なくとも一部の水等の溶媒が揮発する。その後、乾燥ドラム１２６により、連帳紙Ｐ上の画像（水性インク）を連帳紙Ｐの裏面側（記録面とは反対側の面）から乾燥する。そして、温風送風装置１２８により、連帳紙Ｐに吐出された水性インク（画像）を連帳紙Ｐの表面側（記録面）から乾燥する。つまり、乾燥ドラム１２６及び温風送風装置１２８により、連帳紙Ｐ上に吐出されたインクを乾燥する。温風送風装置１２８はなくてもよいが、蒸発した水分を排除する効果もある。
次に、冷却ユニット２２において、クーリングローラ２２Ａにより、画像が記録された連帳紙Ｐを冷却する。
次に、バッファユニット１６を通じて、後処理ユニット１８は、画像が記録された連帳紙Ｐを巻取ロール１８Ａにより巻き取る。
【０１０６】
以上の手段を通じて、記録媒体Ｐとしての連帳紙Ｐに水性インクによる画像が記録される。
なお、インクジェット記録装置１０では、吐出装置１２１によってインクの液滴を記録媒体Ｐの表面に直接吐出する方式について説明したが、これに限られず、例えば中間転写体にインクの液滴を吐出した後に、中間転写体上のインクの液滴を記録媒体Ｐに転写する方式であってもよい。
【０１０７】
また、インクジェット記録装置１０では、記録媒体Ｐとして連帳紙Ｐにインクを吐出して画像を記録する方式について説明したが、記録媒体Ｐとして枚葉紙にインクを吐出して画像を記録する方式であってもよい。
【０１０８】
前述した本実施形態は、その形態のみに限定的に解釈されるものではなく、本発明の要件を満足する範囲内で実現されることは、言うまでもない。例えば、乾燥ドラム１２６、温風送風装置１２８に変えて赤外線ランプで乾燥してもよい。
【実施例】
【０１０９】
以下に実施例を挙げて本発明を更に詳細に説明するが、本発明はこれらの実施例に制限されるものではない。なお、特に断りのない限り「部」は「質量部」を表し、「％」は「質量％」を表す。
【０１１０】
（実施例１）
＜シアンインク２の調製＞
ＰｉｇｍｅｎｔＢｌｕｅ  １５：４（シアン顔料、ＤＩＣ（株）製）：４．０質量％
スチレン−アクリル酸塩共重合体（顔料分散剤、ＢＡＳＦ社製）：０．４質量％
プロピレングリコール（和光純薬工業（株）製）：１０質量％
ジエチレングリコールモノイソプロピルエーテル：５質量％
１，２−ヘキサンジオール（和光純薬工業（株）製）：１質量％
ポリアクリレートエマルション（固形分２５％、日本合成化学工業（株）製）：４質量％
赤外線吸収剤分散体（うち、スクアリリウム化合物２質量％、スチレン／エチルメタクリレート／アクリル酸−２−カルボキシエチル共重合体（３０／６０／１０）１８質量％、水性溶媒８０質量％）：５質量％
オルフィンＥ１０１０（界面活性剤、日信化学工業（株）製）：０．５質量％
オルフィンＥ１００４（界面活性剤、日信化学工業（株）製）：０．５質量％
純水：６９．６質量％
上記成分を混合した後、５μｍフィルターでろ過を行い、シアンインク２を得た。
【０１１１】
＜インクの蒸発率０％乃至６０％における近似式である前記式（１）の算出方法＞
レオメーターＨＡＡＫＥ  ＭＡＲＳ（サーモフィッシャーサイエンティフィック（株）製）を使用し、インクの蒸発率０％、１５％近傍、３０％近傍、４５％近傍、及び、６０％近傍かつ６０％以下の５点で、３０℃におけるインクの粘度を測定した。５点の測定値を式（１）に最小二乗法により回帰させ、式（１）におけるａ及びｂの値を算出した。
【０１１２】
シアンインク２におけるａの値は、１．２であり、ｂの値は、４．５５であった。
また、３０℃におけるシアンインク２の粘度（蒸発率０％）は、５．７ｍＰａ・ｓであった。
【０１１３】
＜マゼンタインク２の調製＞
ＰｉｇｍｅｎｔＲｅｄ  １２２（マゼンタ顔料、ＤＩＣ（株）製）：６．０質量％
スチレン−アクリル酸塩共重合体（顔料分散剤、ＢＡＳＦ社製）：０．６質量％
プロピレングリコール（和光純薬工業（株）製）：１０質量％
ジエチレングリコールモノイソプロピルエーテル：５質量％
１，２−ヘキサンジオール（和光純薬工業（株）製）：１質量％
ポリアクリレートエマルション（固形分２５％、日本合成化学工業（株）製）：４質量％
赤外線吸収剤分散体（うち、スクアリリウム化合物２質量％、スチレン／エチルメタクリレート／アクリル酸−２−カルボキシエチル共重合体（３０／６０／１０）１８質量％、水性溶媒８０質量％）：４質量％
オルフィンＥ１０１０（界面活性剤、日信化学工業（株）製）：０．６質量％
オルフィンＥ１００４（界面活性剤、日信化学工業（株）製）：０．４質量％
純水：６８．４質量％
【０１１４】
＜イエローインク２の調製＞
着色剤として、ＰｉｇｍｅｎｔＢｌｕｅ  １５：４の代わりに、ＰｉｇｍｅｎｔＹｅｌｌｏｗ  ７４（イエロー顔料、ＤＩＣ（株）製）を使用した以外は、シアンインク２の調製と同様にして、イエローインク２を得た。
【０１１５】
＜ブラックインク２の調製＞
カーボンブラック（カーボンブラック顔料、キャボット社製）：５．３ｗｔ．％
スチレン−メタクリル酸塩共重合体（顔料分散剤、ＢＡＳＦ社製）：０．５３ｗｔ％
プロピレングリコール：１５ｗｔ．％
ジエチレングリコールモノイソプロピルエーテル：４ｗｔ．％
１，２ヘキサンジオール：１．５ｗｔ．％
ポリアクリレートエマルション（固形分２５％、日本合成化学工業（株）製）：５質量％
オルフィンＥ１０１０（界面活性剤、日信化学工業（株）製）：０．６質量％
オルフィンＥ１００４（界面活性剤、日信化学工業（株）製）：０．４質量％
純水：６７．６７質量％
【０１１６】
マゼンタインク２におけるａの値は１．２７、ｂの値は４．２３であり、イエローインク２におけるａの値は１．１５、ｂの値は４．４５であり、ブラックインク２におけるａの値は１．１６、ｂの値は４．５４であった。
また、３０℃におけるマゼンタインク２の粘度（蒸発率０％）は、５．５ｍＰａ・ｓであった。
３０℃におけるイエローインク２の粘度（蒸発率０％）は、５．６ｍＰａ・ｓであった。
３０℃におけるブラックインク２の粘度（蒸発率０％）は、５．７ｍＰａ・ｓであった。
【０１１７】
＜シアンインク１、３及び４の調製＞
シアンインク１はａが表１に示す狙い値程度となるよう、シアンインク２に対してポリアクリレートエマルション及び純水を増量し、プロピレングリコールを減量した。シアンインク３はａが表１に示す狙い値程度となるよう、シアンインク２に対してポリアクリレートエマルションを減量し、プロピレングリコール及び純水を増量した。シアンインク４はａが表１に示す狙い値程度となるよう、シアンインク２に対してポリアクリレートエマルションを減量し、純水、プロピレングリコール及び１，２−ヘキサンジオールを増量した。
また、３０℃におけるシアンインク１の粘度（蒸発率０％）は、５．８ｍＰａ・ｓであった。
３０℃におけるシアンインク３の粘度（蒸発率０％）は、５．７ｍＰａ・ｓであった。
３０℃におけるシアンインク４の粘度（蒸発率０％）は、５．４ｍＰａ・ｓであった。
【０１１８】
＜マゼンタインク１、３及び４の調製＞
マゼンタインク１はａが表１に示す狙い値程度となるよう、マゼンタインク２に対してポリアクリレートエマルション及び純水を増量し、プロピレングリコールを減量した。マゼンタインク３はａが表１に示す狙い値程度となるよう、マゼンタインク２に対してポリアクリレートエマルションを減量し、プロピレングリコール及び純水を増量した。マゼンタインク４はａが表１に示す狙い値となるよう、マゼンタインク２に対してポリアクリレートエマルションを減量程度し、純水、プロピレングリコール及び１，２−ヘキサンジオールを増量した。
また、３０℃におけるマゼンタインク１の粘度（蒸発率０％）は、５．６ｍＰａ・ｓであった。
３０℃におけるマゼンタインク３の粘度（蒸発率０％）は、５．５ｍＰａ・ｓであった。
３０℃におけるマゼンタインク４の粘度（蒸発率０％）は、５．２ｍＰａ・ｓであった。
【０１１９】
＜イエローインク１、３及び４の調製＞
イエローインク１はａが表１に示す狙い値程度となるよう、イエローインク２に対してポリアクリレートエマルション及び純水を増量し、プロピレングリコールを減量した。イエローインク３はａが表１に示す狙い値程度となるよう、イエローインク２に対してポリアクリレートエマルションを減量し、プロピレングリコール及び純水を増量した。イエローインク４はａが表１に示す狙い値程度となるよう、イエローインク２に対してポリアクリレートエマルションを減量し、純水、プロピレングリコール及び１，２−ヘキサンジオールを増量した。
また、３０℃におけるイエローインク１の粘度（蒸発率０％）は、５．５ｍＰａ・ｓであった。
３０℃におけるイエローインク３の粘度（蒸発率０％）は、５．３ｍＰａ・ｓであった。
３０℃におけるイエローインク４の粘度（蒸発率０％）は、５．４ｍＰａ・ｓであった。
【０１２０】
＜ブラックインク１、３及び４の調製＞
ブラックインク１はａが表１に示す狙い値程度となるよう、ブラックインク２に対してポリアクリレートエマルション及び純水を増量し、プロピレングリコールを減量した。ブラックインク３はａが表１に示す狙い値程度となるよう、ブラックインク２に対してポリアクリレートエマルションを減量し、プロピレングリコール及び純水を増量した。ブラックインク４はａが表１に示す狙い値程度となるよう、ブラックインク２に対してポリアクリレートエマルションを減量し、純水、プロピレングリコール及び１，２−ヘキサンジオールを増量した。
また、３０℃におけるブラックインク１の粘度（蒸発率０％）は、５．８ｍＰａ・ｓであった。
３０℃におけるブラックインク３の粘度（蒸発率０％）は、５．７ｍＰａ・ｓであった。
３０℃におけるブラックインク４の粘度（蒸発率０％）は、５．５ｍＰａ・ｓであった。
【０１２１】
【表１】
2018035295.tif 000003
【０１２２】
なお、表１における「Ｃ」はシアンインクを表し、「Ｍ」はマゼンタインクを表し、「Ｙ」はイエローインクを表し、「Ｋ」はブラックインクを表す。以下においても同様である。
【０１２３】
＜光吸収率の測定方法＞
インクの光吸収率は、以下の方法により測定した。
紫外可視近赤外分光光度計Ｖ−５６０（日本分光（株）製）と１０ｍｍ角の石英セルを使用し、純水で希釈したインクのレーザー波長における吸光度Ａを測定して、Ｌａｍｂｅｒｔ−Ｂｅｅｒ則による換算式から印字時のインク膜厚における吸収率を求めた。すなわち、インク重量Ｗｉｎｋ＝１ｇと純水Ｗｗａｔｅｒ＝２００ｇを混合した溶液の吸光度Ａを測定し、インク膜厚ｄ＝５×１０−３ｍｍの吸収率％Ａ＝１−１０―（（Ｗｉｎｋ／Ｗｗａｔｅｒ）×（ｄ／１０）×Ａ）を計算した。
【０１２４】
前記シアン、マゼンタ、イエローインク１乃至４の光吸収率はいずれも０．７であり、ブラックインク１乃至４の光吸収率は０．８であった。
なお、光吸収率は、赤外線吸収剤分散液に含まれる赤外線吸収剤と分散樹脂の比率を変更することにより調整した。
【０１２５】
＜画像形成方法＞
図１に示す、ピエゾ方式のインクジェットヘッド（解像度１，２００×１，２００ｄｐｉ、最大インク滴量５ｐＬ）、及び、乾燥装置として赤外線レーザー及び加熱ローラを備えたインクジェット記録システムを用意し、表２に記載の各色インク（シアンインク、マゼンタインク、イエローインク及びブラックインク）を装填した。記録媒体の搬送速度を５０ｍ／ｍｉｎに設定した。
記録媒体として、ＯＫトップコート＋紙（王子製紙（株）製）を用意した。
記録媒体上に、各色インクをインクジェットヘッドから吐出し、赤外線レーザー及び加熱ローラにて乾燥させ記録画像を得た。
記録画像としては、後述する各評価に応じた画像を形成した。
【０１２６】
＜評価＞
［色間滲み］
上記画像形成方法において、単色印字率１００％パッチ及び２次色印字率１００％パッチに重ねて、単色８ドットラインを描画するチャートを用い、インクジェット吐出及び赤外線レーザー等による乾燥を行い、記録画像を得た。得られた記録画像における８ドットラインのラジッドネス（Ｒａｇｇｅｄｎｅｓｓ、ラインエッヂ部の乱れの大きさ）値をＰＩＡＳII（ＱＥＡ社製）で測定し、以下に示す基準で評価した。
Ａ：ラジッドネス値がいずれも、１５μｍ未満である
Ｂ：ラジッドネス値が１５μｍ以上３０μｍ未満である箇所が見られるが、いずれも３０μｍ未満である
Ｃ：ラジッドネス値が３０μｍ以上である箇所が見られる
【０１２７】
［高温に起因する問題（高温問題（画像濃度低下、ブリスター））］
上記画像形成方法において、単色印字率１００％パッチを描画するインクジェット吐出を行い、赤外線レーザー等により乾燥し、記録画像を得た。得られたパッチ画像を、Ｘ−Ｒｉｔｅ  ５０４（Ｘ−ｒｉｔｅ社製）を用い、光学濃度（ＯＤ）を測定し、更に１０倍ルーペを使用し目視を行い、ブリスター（膨れ）発生の有無を確認した。
また、対比用に、上記赤外線レーザー等による乾燥の代わりに自然乾燥を行った以外は、前記と同様にして記録画像を得て、光学濃度を測定した。
評価基準を以下に示す。
Ａ：光学濃度低下が自然乾燥したものに対して、ΔＯＤ（自然乾燥したものとの光学濃度の差）＜０．３であり、かつブリスターが確認されない
Ｂ：光学濃度低下が自然乾燥したものに対して、ΔＯＤ≧０．３であり、かつブリスターが確認されない
Ｃ：光学濃度低下が自然乾燥したものに対して、ΔＯＤ≧０．３であり、かつブリスターが確認される
【０１２８】
［吐出安定性］
ＦＵＪＩＦＩＬＭ  Ｄｉｍａｔｉｘ社製マテリアルプリンター  ＤＭＰ２８９１を使用し、各インクを用いて連続ドットを印字し、休止時間に相当する数のドットを間引いて再びドットを印字した。
リファレンス（参照のインクジェット吐出）は休止時間０．００１５秒、評価対象は休止時間０．８秒とした。
休止後最初のドットの着弾位置ずれ量（印刷方向におけるリファレンスのドット位置と評価対象のドット位置との差）を光学顕微鏡により拡大観察し、計測した。
評価基準を以下に示す。
Ａ：使用したインクのいずれにおいても着弾位置ずれ量が１０μｍ未満である
Ｂ：使用したインクの少なくとも１つにおける着弾位置ずれ量が１０μｍ以上２０μｍ未満であり、使用したインクのいずれにおいても着弾位置ずれ量が２０μｍ未満である。
Ｃ：使用したインクの少なくとも１つにおける着弾位置ずれ量が２０μｍ以上である
【０１２９】
表２に記載の印字順及びインクを採用した構成で、赤外線照射エネルギーを１色目に対して３．０８Ｊ／ｃｍ２、２色目に対して１．０５Ｊ／ｃｍ２、３色目に対して０．５７Ｊ／ｃｍ２、４色目に対して０．６５Ｊ／ｃｍ２と設定したとき、以下の結果を得た。評価結果を表２に示す。
【０１３０】
【表２】
2018035295.tif 000004
【０１３１】
表３に記載の印字順及びインクを採用した構成で、赤外線照射エネルギーを１色目に対して１．５９Ｊ／ｃｍ２、２色目に対して１．３１Ｊ／ｃｍ２、３色目に対して０．８８Ｊ／ｃｍ２、４色目に対して０．７７Ｊ／ｃｍ２と設定したとき、以下の結果を得た。評価結果を表３に示す。
【０１３２】
【表３】
2018035295.tif 000005
【符号の説明】
【０１３３】
１０：インクジェット記録装置
１２：画像記録ユニット
１４：前処理ユニット
１４Ｂ：供給ロール
１６：バッファユニット
１６Ａ：第１パスローラ
１６Ｂ：ダンサーローラ
１６Ｃ：第２パスローラ
１８：後処理ユニット
１８Ａ：巻取ロール
２０：バッファユニット
２０Ａ：第１パスローラ
２０Ｂ：ダンサーローラ
２０Ｃ：第２パスローラ
２２：冷却ユニット
２２Ａ：クーリングローラ
１２１：吐出装置
１２２Ｋ、１２２Ｙ、１２２Ｍ、１２２Ｃ：吐出ヘッド
１２４：搬送経路
１２６：乾燥ドラム
１２８：温風送風装置
１２８Ａ、１２８Ｂ、１２８Ｃ：赤外線レーザー照射装置
Ｐ：記録媒体
【図１】
2018035295.tif 000006